(57)【要約】【課題】ホースユニットの在庫の類似部品数を低減する。【解決手段】ホースユニット１５は、ホース１３と、ホース１３の第１端部に固定される第１接続部材１６と、ホース１３の第２端部に固定される第２接続部材１７と、ホース１３が摺動可能に挿通され、水栓のボデーに取り付けられる筒状部材１４とを備えている。筒状部材１４は、筒状部材１４の内面側を構成するとともにホース１３に対して取り外し不能な筒状のインナー部材２０と、筒状部材１４の外面側を構成するとともにインナー部材２０に対して取り付け可能な筒状のアウター部材３０とを備えている。【選択図】図２
2020133848.tif 000002
【特許請求の範囲】
【請求項１】
水栓に用いられるホースユニットであって、
ホースと、
前記ホースの第１端部に固定される第１接続部材と、
前記ホースの第２端部に固定される第２接続部材と、
前記ホースが摺動可能に挿通され、前記水栓のボデーに取り付けられる筒状部材とを備え、
前記筒状部材は、
前記筒状部材の内面側を構成するとともに前記ホースに対して取り外し不能な筒状のインナー部材と、
前記筒状部材の外面側を構成するとともに前記インナー部材に対して取り付け可能な筒状のアウター部材とを備えることを特徴とするホースユニット。
【請求項２】
前記アウター部材の内径は、前記第１接続部材及び前記第２接続部材の少なくとも一方の外径よりも大きい請求項１に記載のホースユニット。
【請求項３】
前記アウター部材には、前記インナー部材に設けられるインナー側係合部に凹凸の関係により係止されて前記インナー部材と前記アウター部材との間の位置ずれを規制するとともに、径方向外側に弾性変形することにより前記インナー側係合部との係合状態が解除されるアウター側係合部が設けられている請求項１又は請求項２に記載のホースユニット。
【請求項４】
前記インナー部材の外周面及び前記アウター部材の内周面の一方には、端部から軸方向に延びる溝状の凹部が設けられ、
前記インナー部材の外周面及び前記アウター部材の内周面の他方には、前記凹部に挿入される凸部が設けられている請求項３に記載のホースユニット。
【請求項５】
前記筒状部材は、前記ボデーに取り付けたときに、前記アウター側係合部の径方向外側に前記ボデーが近接又は当接する請求項３又は請求項４に記載のホースユニット。
【請求項６】
請求項１〜５のいずれか一項に記載のホースユニットを備える水栓。
【請求項７】
請求項５に記載のホースユニットを備える水栓であって、
前記水栓の前記ボデーには、前記アウター側係合部に近接又は当接して、前記アウター側係合部の径方向外側への変位を規制する規制部が設けられていることを特徴とする水栓。
【発明の詳細な説明】
【技術分野】
【０００１】
本発明は、ホースユニット及び水栓に関する。
【背景技術】
【０００２】
特許文献１に開示されるように、ホース収納式の水栓は、キッチンキャビネットのカウンタ等に固定されるボデーと、ボデーに対して着脱可能に取り付けられた吐水ヘッドと、ボデーからの湯水の出口である供給管と吐水ヘッドとを通水可能に接続するホースとを備えている。ホース収納式の水栓を組付ける際に、予めホースに幾つかの部材を一体に組付けてなるホースユニットが用いられる場合がある。
【０００３】
図７に示すように、ホースユニット４０は、ホース４１と、ホース４１の第１端部に固定される第１接続部材４２と、ホース４１の第２端部に固定される第２接続部材４３とを備えている。第１接続部材４２は、吐水ヘッドにホース４１の第１端部を接続するための部材であり、第２接続部材４３は、湯水の供給管にホース４１の第２端部を接続するための部材である。
【０００４】
また、ホースユニット４０は、ホース４１が摺動可能に挿通される筒状部材４４を備えている。筒状部材４４は、ボデー４５における吐水ヘッドが取り付けられる開口部４５ａに挿入されることにより、ボデー４５の開口部４５ａに固定される部材である。筒状部材４４は、ボデー４５に吐水ヘッドを保持させるための保持部材、及びホース４１の外周面に付着した湯水のボデー４５内への浸入を防ぐ水切り部材等として機能する。
【０００５】
上記水栓を組付ける場合には、先ず、第２接続部材４３側からホース４１をボデー４５の開口部４５ａに挿入して、開口部４５ａに筒状部材４４を固定するとともに、ボデー４５からホース４１を引き出して第２接続部材４３を供給管に接続する。その後、ホースユニット４０のホース４１の第１接続部材４２に吐水ヘッドを接続する。
【先行技術文献】
【特許文献】
【０００６】
【特許文献１】特開平１０−１４７９６３号公報
【発明の概要】
【発明が解決しようとする課題】
【０００７】
ところで、筒状部材４４の外形は、ボデー４５の開口部４５ａに取り付け可能かつボデー４５に取り付けた際に違和感が生じないようにボデー４５の形状に合わせて設計される。そのため、筒状部材４４は、取り付けられるボデー４５の種類に応じて形状が異なるものを用意する必要がある。
【０００８】
また、ホースユニット４０の第１接続部材４２及び第２接続部材４３は、通常、その外径がホース４１の外径及び筒状部材４４の内径よりも大きく形成されるとともに、ホース４１に対してカシメ固定等により容易には着脱できない態様で固定される。そのため、第１接続部材４２及び第２接続部材４３が障害物となって、ホースユニット４０から筒状部材４４を取り外すことはできない。
【０００９】
こうした事情から、ボデー４５の形状別に外形が異なる筒状部材４４を備える複数種類のホースユニット４０の在庫を用意しなければならず、ホースユニット４０の在庫の類似部品数が多くなるという問題があった。
【００１０】
この発明は、こうした実情に鑑みてなされたものであり、その目的は、ホースユニットの在庫の類似部品数を低減することにある。
【課題を解決するための手段】
【００１１】
上記課題を解決するホースユニットは、水栓に用いられるホースユニットであって、ホースと、前記ホースの第１端部に固定される第１接続部材と、前記ホースの第２端部に固定される第２接続部材と、前記ホースが摺動可能に挿通され、前記水栓のボデーに取り付けられる筒状部材とを備え、前記筒状部材は、前記筒状部材の内面側を構成するとともに前記ホースに対して取り外し不能な筒状のインナー部材と、前記筒状部材の外面側を構成するとともに前記インナー部材に対して取り付け可能な筒状のアウター部材とを備える。
【００１２】
上記構成のホースユニットによれば、ボデーに取り付けられるアウター部材と、アウター部材以外の部分とを分離した状態で在庫の保管ができる。これにより、アウター部材以外の部分を共通部分として、一種類の上記共通部分と、ボデーの形状別の複数種類のアウター部材とを在庫として用意しておき、必要時には、ボデーに応じてアウター部材を選択し、選択したアウター部材を共通部分に取り付けた状態、又は共通部分とセットにした状態にて出荷できる。このように、上記構成によれば、ホースユニットにおけるアウター部材以外の部分を共通化することができ、在庫の類似部品数を減らすことができる。
【００１３】
上記ホースユニットにおいて、前記アウター部材の内径は、前記第１接続部材及び前記第２接続部材の少なくとも一方の外径よりも大きいことが好ましい。
上記構成によれば、ホースに取り付けられているインナー部材に筒状のアウター部材を取り付ける際に、アウター部材にホースを挿通させる方法により、インナー部材の径方向外側にアウター部材を位置させることができる。これにより、アウター部材として、継合わせ部分のない一の部材からなる筒状の部材を採用することが可能になり、ホースの外周面に付着した湯水がアウター部材の継合わせ部分を通じてボデー内に浸入することを抑制できる。
【００１４】
上記ホースユニットにおいて、前記アウター部材には、前記インナー部材に設けられるインナー側係合部に凹凸の関係により係止されて前記インナー部材と前記アウター部材との間の位置ずれを規制するとともに、径方向外側に弾性変形することにより前記インナー側係合部との係合状態が解除されるアウター側係合部が設けられていることが好ましい。
【００１５】
上記構成によれば、スナップフィット方式にてインナー部材にアウター部材を簡易に取り付けることができる。また、インナー部材からアウター部材を簡易に取り外すこともできる。
【００１６】
上記ホースユニットにおいて、前記インナー部材の外周面及び前記アウター部材の内周面の一方には、端部から軸方向に延びる溝状の凹部が設けられ、前記インナー部材の外周面及び前記アウター部材の内周面の他方には、前記凹部に挿入される凸部が設けられていることが好ましい。
【００１７】
上記構成によれば、インナー部材にアウター部材を取り付け可能な周方向位置が限定されるため、インナー側係合部又はアウター側係合部としての凹み部分をインナー部材又はアウター部材の周方向に延びるように形成する必要がなくなる。これにより、上記凹み部分が設けられる側のインナー部材又はアウター部材の薄肉化や加工の簡素化を図ることができる。
【００１８】
上記ホースユニットにおいて、前記筒状部材は、前記ボデーに取り付けたときに、前記アウター側係合部の径方向外側に前記ボデーが近接又は当接することが好ましい。
上記構成によれば、アウター側係合部の係合解除方向への変位がボデーにより規制される。これにより、筒状部材をボデーに取り付けた状態においては、アウター部材からインナー部材が容易には外れなくなる。
【００１９】
上記課題を解決する水栓は、上記ホースユニットを備える。
上記課題を解決する水栓は、上記ホースユニットを備え、前記水栓の前記ボデーには、前記アウター側係合部に近接又は当接して、前記アウター側係合部の径方向外側への変位を規制する規制部が設けられている。
【００２０】
上記構成によれば、アウター側係合部の係合解除方向への変位がボデーの規制部により規制される。これにより、筒状部材をボデーに取り付けた状態においては、アウター部材からインナー部材が容易には外れなくなる。
【発明の効果】
【００２１】
本発明によれば、ホースユニットの在庫の類似部品数を低減できる。
【図面の簡単な説明】
【００２２】
【図１】ホースユニットを備える水栓の分解図。
【図２】ホースユニットの説明図。
【図３】インナー部材の斜視図。
【図４】アウター部材の斜視図。
【図５】アウター部材及び共通ユニットの説明図。
【図６】（ａ）は、ホースユニットの筒状部材をボデーに取り付ける前の状態を示す説明図、（ｂ）は、ホースユニットの筒状部材をボデーに取り付けた状態を示す説明図。
【図７】従来のホースユニットの説明図。
【発明を実施するための形態】
【００２３】
以下、本発明の一実施形態を説明する。
図１に示すように、ホース収納式の水栓１０は、キッチンキャビネット等のカウンタに固定されるボデー１１と、ボデー１１に対して着脱可能に取り付けられる吐水ヘッド１２とを備えている。また、水栓１０は、湯水の供給管（図示略）と吐水ヘッド１２とを通水可能に接続する可撓性のホース１３と、ホース１３が挿通される筒状部材１４とを組付けてなるホースユニット１５を備えている。筒状部材１４は、ボデー１１の開口部１１ａに取り付けられて、ボデー１１に吐水ヘッド１２を保持させるための保持部材、及びホース１３の外周面に付着した湯水のボデー１１内への浸入を防ぐ水切り部材として機能する。以下、ホースユニット１５の詳細について説明する。
【００２４】
図２に示すように、ホースユニット１５のホース１３の第１端部には、吐水ヘッド１２に接続するための第１接続部材１６が取り付けられるとともに、ホース１３の第２端部には、供給管に接続するための第２接続部材１７が取り付けられている。第１接続部材１６及び第２接続部材１７は、その外径がホース１３の外径よりも大きい環状部材により構成され、ホース１３の両端部に対してカシメ等により一体に固定されている。また、第２接続部材１７の外径は、第１接続部材１６の外径よりも小さい。
【００２５】
なお、以下では、ホース１３を基準として、第１接続部材１６が取り付けられる第１端部側を一方側、第２接続部材１７が取り付けられる第２端部側を他方側として説明する。
ホースユニット１５の筒状部材１４は、ホース１３が摺動可能に挿通されている筒状部材である。筒状部材１４は、筒状部材１４の内面側を構成し、上記水切り部材として機能するインナー部材２０と、筒状部材１４の外面側を構成し、上記保持部材として機能するアウター部材３０とを備えている。インナー部材２０及びアウター部材３０は、それぞれ別体として設けられ、インナー部材２０にアウター部材３０を取り付けることによって筒状部材１４が構成されている。
【００２６】
図２及び図３に示すように、インナー部材２０は、ホース１３が摺動可能に挿通される円筒状のインナー本体部２１を備えている。インナー本体部２１は、その内径が第１接続部材１６及び第２接続部材１７の外径よりも小さくなっている。これにより、インナー本体部２１の内周面とホース１３の外周面との間の隙間が小さくなり、ホース１３の外周面に付着した湯水のボデー１１内への浸入をインナー本体部２１によって抑制できる。また、インナー本体部２１の内径が第１接続部材１６及び第２接続部材１７の外径よりも小さい結果、インナー部材２０は、第１接続部材１６及び第２接続部材１７が固定されたホース１３から取り外しできない状態になっている。また、インナー部材２０の外径は、第２接続部材１７の外径よりも大きい。
【００２７】
図３に示すように、インナー本体部２１の一方側の端部には、径方向外側に突出する環状のフランジ２２が設けられるとともに、インナー本体部２１の外周面には、フランジ２２の周縁部分を含めてインナー本体部２１の一方側の端部から軸方向に延びる線状の凸部２３が設けられている。また、インナー本体部２１には、インナー本体部２１を径方向に貫通する孔状のインナー側係合部２４が設けられている。インナー側係合部２４は、周方向に１８０度離れた２位置に設けられている。
【００２８】
図２及び図４に示すように、アウター部材３０は、インナー部材２０が挿入される円筒状のアウター本体部３１を備えている。アウター本体部３１の内径は、第２接続部材１７の外径よりも大きく、インナー部材２０のインナー本体部２１を挿入可能な程度にインナー本体部２１の外径よりも僅かに大きい。
【００２９】
図４に示すように、アウター本体部３１の一方側の端部には、周方向の一箇所に切り欠き３２が設けられるとともに、アウター本体部３１の内周面には、切り欠き３２から軸方向に延びる溝状の凹部３３が設けられている。切り欠き３２及び凹部３３には、インナー部材２０の凸部２３が挿入されている。
【００３０】
図２及び図４に示すように、アウター本体部３１には、インナー部材２０のインナー側係合部２４に係合するアウター側係合部３４が設けられている。アウター側係合部３４は、基端側がアウター本体部３１に固定されるとともに先端側が径方向に弾性的に変位可能な弾性片３４ａと、弾性片３４ａの先端から径方向内側に突出して、径方向外側からインナー側係合部２４に係合する爪部３４ｂとを備えている。弾性片３４ａの径方向外側の面は、アウター本体部３１の外周面に沿った面上、又は同面よりも径方向外側に突出するように設けられている。
【００３１】
アウター側係合部３４は、インナー側係合部２４と同様に、周方向に１８０度離れた２位置に設けられており、各爪部３４ｂがインナー側係合部２４に挿入されている。インナー側係合部２４とアウター側係合部３４との係合によって、インナー部材２０に対するアウター部材３０の位置ずれが規制されている。
【００３２】
また、アウター本体部３１の軸方向の中央部には、径方向外側に突出する拡径部３５が設けられている。拡径部３５の外周面には溝部が設けられるとともに、溝部にはＯリング３６が装着されている。
【００３３】
図２に示すように、アウター部材３０における拡径部３５から他方側の部分は、ボデー１１の開口部１１ａに取り付けられるボデー取付部３０Ａである。ボデー取付部３０Ａの外形は、ボデー１１の開口部１１ａに取り付けできるように、ボデー１１に応じた形状に形成されている。
【００３４】
図４に示すように、アウター本体部３１におけるボデー取付部３０Ａに相当する部分には、ボデー１１に係合するボデー係合部３７が設けられている。ボデー係合部３７は、基端側がアウター本体部３１に固定されるとともに先端側が径方向に弾性的に変位可能な弾性片３７ａと、弾性片３７ａの先端から径方向外側に突出する爪部３７ｂとを備えている。
【００３５】
図２に示すように、アウター部材３０における拡径部３５よりも一方側の部分は、吐水ヘッド１２を保持するヘッド保持部３０Ｂである。ヘッド保持部３０Ｂの外形は、吐水ヘッド１２に取り付けできるように、吐水ヘッド１２に応じた形状に形成されている。
【００３６】
次に、本実施形態の作用として、ホースユニット１５の使用方法について説明する。
図５に示すように、ホースユニット１５は、在庫として保管する場合には、第１接続部材１６及び第２接続部材１７が固定されたホース１３とインナー部材２０とからなる共通ユニット１５Ａと、アウター部材３０とに分けた状態とされる。そして、必要になった際に、共通ユニット１５Ａのインナー部材２０にアウター部材３０を取り付けて使用する。
【００３７】
共通ユニット１５Ａにアウター部材３０を取り付ける場合には、アウター部材３０に対して、第２接続部材１７が固定されている第２端部側からホース１３を挿通させる。アウター部材３０のアウター本体部３１の内径は、第２接続部材１７の外径よりも大きいため、アウター部材３０にホース１３を挿通できる。その後、アウター部材３０にインナー部材２０を挿入する。このとき、インナー部材２０の凸部２３をアウター部材３０の切り欠き３２及び凹部３３に挿入することにより、インナー部材２０及びアウター部材３０の周方向位置が正しい位置に決まるとともに、インナー部材２０の挿入動作がガイドされる。
【００３８】
そして、アウター部材３０のアウター本体部３１の一方の端部がインナー部材２０のフランジ２２に当接する位置までインナー部材２０を挿入する。このとき、アウター側係合部３４の爪部３４ｂがインナー側係合部２４に挿入されて、アウター側係合部３４とインナー側係合部２４とがスナップフィット方式にて係合する。これにより、軸方向及び周方向の位置ずれが規制された状態にて、インナー部材２０にアウター部材３０が取り付けられる。なお、インナー部材２０に取り付けられたアウター部材３０は、アウター側係合部３４の弾性片３４ａの先端を径方向外側に弾性変形させて、アウター側係合部３４とインナー側係合部２４との係合を解除した状態とすることにより、インナー部材２０から取り外すことができる。
【００３９】
図１及び図６（ａ）に示すように、水栓１０を組付ける場合には、先ず、カウンタに固定されたボデー１１の開口部１１ａに対して、ホースユニット１５のホース１３を第２端部側から挿入する。そして、筒状部材１４をボデー１１の開口部１１ａに挿入して、開口部１１ａに筒状部材１４を取り付ける。このとき、筒状部材１４のアウター部材３０のボデー係合部３７がボデー１１の開口部１１ａの内面に係合する。
【００４０】
図６（ｂ）に示すように、ボデー１１の開口部１１ａに取り付けられた筒状部材１４は、アウター部材３０のボデー取付部３０Ａが開口部１１ａ内に位置し、ヘッド保持部３０Ｂがボデー１１の開口部１１ａから突出した状態になる。この取り付け状態においては、アウター側係合部３４の弾性片３４ａの径方向外側の面に対して、ボデー１１の開口部１１ａの内周面が近接、又は当接している。これにより、アウター側係合部３４の係合解除方向への変位がボデー１１の開口部１１ａの内周面によって規制された状態になっている。
【００４１】
なお、弾性片３４ａの径方向外側の面に開口部１１ａの内周面が近接するとは、弾性片３４ａの径方向外側の面と開口部１１ａの内周面との間の距離が、インナー側係合部２４に対するアウター側係合部３４の爪部３４ｂの引っ掛かり幅よりも短いことを意味する。また、本実施形態においては、ボデー１１の開口部１１ａの内周面が規制部に相当する。
【００４２】
ボデー１１の開口部１１ａに筒状部材１４を取り付けた後、ホース１３に固定された第１接続部材１６を吐水ヘッド１２に接続し、ボデー１１の開口部１１ａから突出するヘッド保持部３０Ｂに吐水ヘッド１２を取り付ける。そして、ボデー１１から引き出したホース１３の第２接続部材１７を供給管に接続することにより、水栓１０が組付けられる。
【００４３】
次に、本実施形態の効果について記載する。
（１）水栓１０に用いられるホースユニット１５は、ホース１３と、ホース１３の第１端部に固定される第１接続部材１６と、ホース１３の第２端部に固定される第２接続部材１７と、ホース１３が摺動可能に挿通され、水栓１０のボデー１１に取り付けられる筒状部材１４とを備えている。筒状部材１４は、筒状部材１４の内面側を構成するとともにホース１３に対して取り外し不能な筒状のインナー部材２０と、筒状部材１４の外面側を構成するとともにインナー部材２０に対して取り付け可能な筒状のアウター部材３０とを備えている。
【００４４】
上記構成のホースユニット１５によれば、ボデー１１に取り付けられるアウター部材３０と、アウター部材３０以外の部分である共通ユニット１５Ａとを分離した状態で在庫の保管ができる。これにより、一種類の共通ユニット１５Ａと、ボデー１１の形状別の複数種類のアウター部材３０とを在庫として用意しておき、必要時には、ボデー１１に応じてアウター部材３０を選択し、選択したアウター部材３０を共通ユニット１５Ａに取り付けた状態、又は共通ユニット１５Ａとセットにした状態にて出荷できる。このように、上記構成によれば、共通ユニット１５Ａを共通化することができ、在庫の類似部品数を減らすことができる。
【００４５】
（２）インナー部材２０は、継合わせ部分のない一の部材からなる筒状の部材により構成されている。
上記構成によれば、ホース１３の外周面に付着した湯水がインナー部材２０の継合わせ部分を通じてボデー１１内に浸入することを防止できる。
【００４６】
（３）アウター部材３０のアウター本体部３１の内径は、第２接続部材１７の外径よりも大きい。
上記構成によれば、共通ユニット１５Ａのインナー部材２０に筒状のアウター部材３０を取り付ける際に、アウター部材３０にホース１３を挿通させる方法により、インナー部材２０の径方向外側にアウター部材３０を位置させることができる。これにより、アウター部材３０として、継合わせ部分のない一の部材からなる筒状の部材を採用することが可能になり、ホース１３の外周面に付着した湯水がアウター部材３０の継合わせ部分を通じてボデー１１内に浸入することを抑制できる。
【００４７】
（４）アウター部材３０には、インナー部材２０に設けられるインナー側係合部２４に凹凸の関係により係止されてインナー部材２０とアウター部材３０との間の位置ずれを規制するとともに、径方向外側に弾性変形することによりインナー側係合部２４との係合状態が解除されるアウター側係合部３４が設けられている。
【００４８】
上記構成によれば、スナップフィット方式にてインナー部材２０にアウター部材３０を簡易に取り付けることができる。
（５）筒状部材１４は、インナー部材２０からアウター部材３０を取り外し可能に構成されている。
【００４９】
上記構成によれば、アウター部材３０に不具合が生じた場合に、ホースユニット１５からアウター部材３０を取り外して、アウター部材３０のみを交換することができる。
（６）アウター部材３０の内周面には、他方側の端部から軸方向に延びる凹部３３が設けられ、インナー部材２０の外周面には、凹部３３に挿入される凸部２３が設けられている。
【００５０】
上記構成によれば、インナー部材２０にアウター部材３０を取り付け可能な周方向位置が限定されるため、不特定の周方向位置で係合可能とすべく、インナー側係合部２４としての貫通孔をインナー部材２０の周方向に延びるように形成する必要がなくなる。ここで、インナー側係合部２４としての貫通孔をインナー部材２０の周方向に延びるように形成する場合、加工に係る作業量が増加することに加えて、強度を確保するためにインナー部材２０を肉厚に設ける必要が生じる。したがって、上記構成によれば、インナー側係合部２４としての貫通孔が設けられるインナー部材２０の薄肉化や加工の簡素化を図ることができる。
【００５１】
（７）筒状部材１４は、ボデー１１に取り付けたときに、アウター側係合部３４の径方向外側にボデー１１が近接又は当接する。また、水栓１０のボデー１１には、アウター側係合部３４に近接又は当接して、アウター側係合部３４の径方向外側への変位を規制する規制部が設けられている。
【００５２】
上記構成によれば、アウター側係合部３４の係合解除方向への変位がボデー１１の規制部により規制される。これにより、筒状部材１４をボデー１１に取り付けた状態においては、アウター部材３０からインナー部材２０が容易には外れなくなる。
【００５３】
なお、本実施形態は、以下のように変更して実施することができる。本実施形態及び以下の変更例は、技術的に矛盾しない範囲で互いに組み合わせて実施することができる。
・インナー側係合部２４の形状は、アウター側係合部３４の爪部３４ｂが係止される形状であれば特に限定されるものではない。例えば、径方向外側に開口する溝状のインナー側係合部２４であってもよい。
【００５４】
・インナー側係合部２４として、インナー部材２０に対して、先端に爪部を有する弾性片を設け、アウター側係合部３４として、アウター部材３０に対して、インナー側係合部２４の爪部が挿入される孔や溝等の凹部を設けてもよい。
【００５５】
・インナー部材２０にアウター部材３０を取り付けるための構成は、スナップフィット方式で係合するインナー側係合部２４及びアウター側係合部３４に限定されない。例えば、クリップやビスを用いてインナー部材２０にアウター部材３０を取り付ける構成としてもよい。また、インナー部材２０の外周面及びアウター部材３０の内周面に互いに螺合するネジ溝を設けて、ねじ止めによってインナー部材２０にアウター部材３０を取り付ける構成としてもよい。
【００５６】
・インナー部材２０にアウター部材３０を取り付けるための構成は、取り付け後に、インナー部材２０からアウター部材３０が取り外し不能となる構成であってもよい。例えば、インナー部材２０に対してアウター部材３０を所定位置まで挿入した際に、アウター部材３０に設けられる係合部の一部が折れたり、潰れたりしてインナー部材２０に引っ掛かる状態になる又は引っ掛かりが強くなることにより、インナー部材２０に係止される構成としてもよい。
【００５７】
・インナー部材２０に設けられる凸部２３の形状は、アウター部材３０に設けられる凹部３３に挿入可能な形状であれば特に限定されるものではない。また、インナー部材２０に設けられる凸部２３及びアウター部材３０に設けられる凹部３３について、その凹凸の関係を反対にしてもよい。
【００５８】
・インナー部材２０に設けられる凸部２３及びアウター部材３０に設けられる凹部３３を省略してもよい。この場合、インナー側係合部２４としての貫通孔をインナー部材２０の周方向に延びるように形成し、周方向における広い範囲又は複数の位置でインナー側係合部２４とアウター側係合部３４とが係合可能となる構成としてもよい。
【００５９】
・上記（３）の効果を得る観点においては、アウター本体部３１の内径は、第１接続部材１６及び第２接続部材１７の少なくとも一方の外径よりも大きければよい。なお、第１接続部材１６及び第２接続部材１７の外径は、接続される吐水ヘッド１２及び供給管の種類に応じて適宜、設定される。
【００６０】
・アウター部材３０は、複数の部材を組み合わせてなるものであってもよい。例えば、断面円弧状の分割体を複数、組み合わせることにより筒状となるアウター部材３０として、インナー部材２０に対して径方向外側から取り付け可能に構成してもよい。この場合には、アウター本体部３１の内径を第１接続部材１６及び第２接続部材１７の両方の外径よりも小さくすることもできる。
【００６１】
・上記実施形態では、筒状部材１４は、水栓１０のボデー１１に取り付けられるものであれば、ボデー１１に吐水ヘッド１２を保持させるための保持部材、及びボデー１１内への浸入を防ぐ水切り部材として機能するものに限定されない。例えば、ボデー１１からのホース１３の引き出し動作及びホース１３の収納動作をガイドするためのガイド部材として機能する筒状部材１４であってもよい。
【符号の説明】
【００６２】
１０…水栓、１１…ボデー、１１ａ…開口部、１２…吐水ヘッド、１３…ホース、１４…筒状部材、１５…ホースユニット、１５Ａ…共通ユニット、１６…第１接続部材、１７…第２接続部材、２０…インナー部材、２１…インナー本体部、２３…凸部、２４…インナー側係合部、３０…アウター部材、３０Ａ…ボデー取付部、３０Ｂ…ヘッド保持部、３１…アウター本体部、３３…凹部、３４…アウター側係合部、３４ａ…弾性片、３４ｂ…爪部。
【図１】
2020133848.tif 000003
【図２】
2020133848.tif 000004
【図３】
2020133848.tif 000005
【図４】
2020133848.tif 000006
【図５】
2020133848.tif 000007
【図６】
2020133848.tif 000008
【図７】
2020133848.tif 000009